(57)【要約】【課題】  大当たり確定後の大当たり種別の抽選を機械的に行う大入賞役物としながら、大当たり種別を機械的に決定する箇所への遊技球の進入時のタイミングをずらす構造を備え、途中経路にて球詰まりを生じるような現象を可及的に回避できる遊技機を提供する。【解決手段】  第１振り分け部３３が、遊技球Ｂａ１を確率変動当たり確定検知センサ４２に導く案内路７２ａと球通過開口７５ａが設けられた円筒部材７５とを有する貯留部６４を備えるので、振り分けられる遊技球の行方に注目し、上記確定検知センサ４２での確率変動当たり決定を期待しつつ遊技を進行できるようになる。しかも、遊技球Ｂａ１を一旦留めてタイミングをランダムにしつつ大当たり種別の決定箇所に向けて送出し得る構造を実現でき、途中経路で球詰まりを生じるような不具合を可及的に回避できる。【選択図】      図７
2006174876.tif 000002
【特許請求の範囲】
【請求項１】
大当たり確定に伴う賞球を得るための入賞が行われる大入賞口と、該大入賞口と同等の賞球機能を有し且つ大当たり確定後の大当たり種別の抽選を機械的に行う大入賞役物とを備える遊技機であって、
前記大入賞役物は、前記賞球機能を得るための電動開閉式入賞口と、遊技球の進入により確率変動当たりを確定させる確率変動当たり確定部と、前記電動開閉式入賞口から受け入れた遊技球を前記確率変動当たり確定部と該確定部以外の部位とに振り分ける振り分け装置とを備え、
前記振り分け装置は、前記電動開閉式入賞口から受け入れた遊技球を前記確率変動当たり確定部に導く案内路と、該案内路の放出開口部に対向した形で一方向に連続回転し且つ前記放出開口部に対面したとき該放出開口部からの遊技球を受け入れて前記確率変動当たり確定部側に送る球通過開口部が設けられた円筒部材とを有する貯留部を備え、
前記貯留部は、前記案内路の幅方向における前記円筒部材の回転方向の後流側に弾性部材を備え、
前記弾性部材は、前記案内路の前記放出開口部から前記円筒部材側への遊技球の送出に際して、前記球通過開口部と前記放出開口部との間にあって当該遊技球を弾力的に担持しつつ前記円筒部材の一方向回転に伴い前記球通過開口部の内方に押し込むように機能する、
ことを特徴とする遊技機。
【請求項２】
前記弾性部材が、前記案内路側から前記円筒部材側に向かって突出する板ばねである、
ことを特徴とする請求項１に記載の遊技機。
【発明の詳細な説明】
【技術分野】
【０００１】
本発明は、パチンコ機等の遊技機に関し、詳しくは、大当たり確定後に大当たり種別を機械的に決定するようにした遊技機に関する。
【背景技術】
【０００２】
一般に、遊技機、例えばパチンコ機として、球受け皿に滞留している遊技球が、発射ハンドルの操作に応じて遊技盤上に打ち出された後、遊技盤面上の障害釘や風車等に導かれつつ盤面を流下して、各種入賞口に入球し、或いは入球せずに遊技盤下部のアウト口に流入するように構成されたものが知られている（例えば、特許文献１参照）。
【０００３】
このようなパチンコ機では、一般入賞口に入球した際にそれに対応した個数の遊技球が払い出され、また始動チャッカーに入球した際にはこれに基づいて大当たり抽選が行われると共に所定数の遊技球が払い出され、当該抽選の結果に応じて、遊技盤の中央部分に設けられた液晶等の画像表示装置の画面上で所定の演出表示が行われる。大当たりの発生時には、アタッカーと呼ばれる大入賞口が開放し、入賞に対応して多量の遊技球が払い出される状態となる。
【０００４】
【特許文献１】特開２００３−２３６２１０号公報
【発明の開示】
【発明が解決しようとする課題】
【０００５】
ところで、上記特許文献１に記載されるようなパチンコ機では、大当たり抽選の結果に応じて開放される大入賞口は上述のアタッカーのみであり、また該アタッカーが開放動作する時点で確率変動当たりであるか通常当たりであるかは既に抽選で決定されている。そのため、大当たり抽選決定の後は、遊技領域下部に位置するアタッカーに対し単に入賞させて、その入賞個数に対応した多量の遊技球を得ることのみが主目的となって、遊技球払い出しの作業を単に消化する感があり、弾球遊技上の興趣が高いとは言えない面があることは否めなかった。
【０００６】
そこで、大入賞口を２つに分割し、その一方を従来タイプに近い構成にすると共に、他方を、従来タイプとは異なる電動開閉式チューリップとして構成し、大当たり当選後に、電動開閉式チューリップから進入した遊技球の導入を契機として大当たり種別（確率変動当たりと通常当たり）を機械的に決定するように構成したパチンコ機が本発明者によって提案されている（未公開）。
【０００７】
しかし、このような構成とするとき、大当たり種別を機械的に決定する箇所への遊技球の進入を、遊技者が簡単にタイミングを計って行うことができるようであると、遊技者にとって有利な確率変動当たりを故意に狙うような行為も可能となる虞があり、このような行為を阻止できるような構造が望まれる。しかし、その実現に際し、進入した遊技球を一旦留めてタイミングを不規則にしながら大当たり種別の決定箇所に向けて送出するような構造が望まれるが、その場合、途中経路にて球詰まりを生じるような現象は可及的に回避しなければならない。
【０００８】
そこで本発明は、大入賞口を２つに分割して、その一方を従来タイプに近い大入賞口とし、かつ他方を、当該大入賞口と同等の賞球機能を有し且つ大当たり確定後の大当たり種別の抽選を機械的に行う大入賞役物としながら、大当たり種別を機械的に決定する箇所への遊技球の進入時のタイミングをずらす構造を備えつつ、途中経路にて球詰まりを生じるような現象を可及的に回避し得るように構成し、もって上述した課題を解決した遊技機を提供することを目的とするものである。
【課題を解決するための手段】
【０００９】
請求項１に係る本発明は（例えば図１ないし図２４参照）、大当たり確定に伴う賞球を得るための入賞が行われる大入賞口（１７）と、該大入賞口（１７）と同等の賞球機能を有し且つ大当たり確定後の大当たり種別の抽選を機械的に行う大入賞役物（１２）とを備える遊技機（１）であって、
前記大入賞役物（１２）は、前記賞球機能を得るための電動開閉式入賞口（２７）と、遊技球（Ｂａ１）の進入により確率変動当たりを確定させる確率変動当たり確定部（４２）と、前記電動開閉式入賞口（２７）から受け入れた遊技球（Ｂａ１）を前記確率変動当たり確定部（４２）と該確定部以外の部位（４１）とに振り分ける振り分け装置（３３）とを備え、
前記振り分け装置（３３）は、前記電動開閉式入賞口（２７）から受け入れた遊技球（Ｂａ１）を前記確率変動当たり確定部（４２）に導く案内路（７２ａ）と、該案内路（７２ａ）の放出開口部（７２ｂ）に対向した形で一方向に連続回転し且つ前記放出開口部（７２ｂ）に対面したとき該放出開口部（７２ｂ）からの遊技球（Ｂａ１）を受け入れて前記確率変動当たり確定部（４２）側に送る球通過開口部（７５ａ）が設けられた円筒部材（７５）とを有する貯留部（６４）を備え、
前記貯留部（６４）は、前記案内路（７２ａ）の幅方向における前記円筒部材（７５）の回転方向の後流側に弾性部材（１１６）を備え、
前記弾性部材（１１６）は、前記案内路（７２ａ）の前記放出開口部（７２ｂ）から前記円筒部材（７５）側への遊技球（Ｂａ１）の送出に際して、前記球通過開口部（７５ａ）と前記放出開口部（７２ｂ）との間にあって当該遊技球（Ｂａ１）を弾力的に担持しつつ前記円筒部材（７５）の一方向回転に伴い前記球通過開口部（７５ａ）の内方に押し込むように機能する、
ことを特徴とする遊技機（１）にある。
【００１０】
請求項２に係る本発明は（例えば図７ないし図９参照）、前記弾性部材が、前記案内路（７２ａ）側から前記円筒部材（７５）側に向かって突出する板ばね（１１６）である、
ことを特徴とする請求項１に記載の遊技機（１）にある。
【００１１】
また、上記カッコ内の符号は、図面と対照するためのものであるが、これは、発明の理解を容易にするための便宜的なものであり、特許請求の範囲の構成に何等影響を及ぼすものではない。
【発明の効果】
【００１２】
請求項１に係る本発明によると、大入賞役物が、電動開閉式入賞口と確率変動当たり確定部と振り分け装置とを備え、振り分け装置が、遊技球を確率変動当たり確定部に導く案内路と球通過開口部が設けられた円筒部材とを有する貯留部を備えるので、遊技者は、大当たり当選に伴い開放した電動開閉式入賞口に向けて遊技球を打ち出して賞球を得ると共に、振り分け装置で振り分けられる遊技球の行方に注目し、確率変動当たり確定部での確率変動当たり決定を期待しつつ遊技を進行させることができる。このように、大当たり当選後単にアタッカーに入賞させて多量の遊技球を得ることだけに終始する、遊技球払い出しの単なる消化作業をしていた従来型パチンコ機に比し、弾球遊技上の興趣を大幅に高めることができる。
【００１３】
しかも、案内路の放出開口部に対する円筒部材の回転位置に伴い球通過開口部に遊技球を受け入れて確率変動当たり確定部側に送る際のタイミング遅延にて、一旦貯留した遊技球を時間差をもって落下させることができ、これにより、大当たり抽選の契機となる遊技球の進入を、大当たりし易いように狙い打ちするような遊技場側にとっての不都合を回避できる。そして、貯留部が、案内路の幅方向における円筒部材の回転方向の後流側に弾性部材を備え、該弾性部材が、案内路の放出開口部から円筒部材側への遊技球の送出に際して、球通過開口部と放出開口部との間にあって当該遊技球を弾力的に担持しつつ円筒部材の一方向回転に伴い球通過開口部の内方に押し込むように機能するので、進入した遊技球を一旦留めてタイミングをランダムにしつつ大当たり種別の決定箇所に向けて送出し得る構造を実現できると共に、途中経路にて球詰まりを生じるような不具合を可及的に回避することができる。
【００１４】
請求項２に係る本発明によると、弾性部材が、案内路側から円筒部材側に向かって突出する板ばねからなるので、極めて簡素でコンパクトな構造を備え、遊技球を一旦留めてタイミングをずらしつつ大当たり種別の決定箇所に向けて送出し得る貯留部を実現することができる。
【発明を実施するための最良の形態】
【００１５】
以下、本発明に係る遊技機の実施形態として、遊技場等に設置されるパチンコ機を図１ないし図２４に沿って説明する。
【００１６】
なお、図１は本発明に係る実施の形態におけるパチンコ機の外部構造を示す正面図、図２は当該パチンコ機に搭載された大入賞役物を単体で示す正面図、図３は図２に示した大入賞役物を下側の前面カバー及び上側の竹模様状カバーを取り外した状態で示す正面図、図４は図２に示した大入賞役物を下側の前面カバーを取り外した状態で示す斜視図、図５は図３に示した大入賞役物を斜め上方から見た状態で示す斜視図、図６は図３中のVI-VI線に沿って断面した側面断面図、図７は第１振り分け部の貯留部及びその周辺を示す側面断面図である。図８は図７の貯留部を上方から見た状態を示し、同図（ａ）は貯留部の円筒部材の球通過開口に遊技球が接近する状態を示す平面断面図、同図（ｂ）は円筒部材の球通過開口と連通部との間に遊技球が挟み込まれた状態を示す平面断面図、同図（ｃ）は同図（ｂ）の状態から円筒部材が更に回転した状態を示す平面断面図である。図９は図７の貯留部を上方から見た状態を示し、同図（ａ）は円筒部材の更なる回転で球通過開口に遊技球が押し込まれた状態を示す平面断面図、同図（ｂ）は球通過開口に押し込まれた遊技球が落下した後の状態を示す平面断面図である。図１０はステージ部及びキャラクタ像に係る部分を抜粋して示す正面図、図１１は図１０中のX-X線に沿って断面した側面断面図、図１２は図３に示した大入賞役物を背面側から見た状態で示す背面図、図１３は図１２に示した大入賞役物の背面上部のカバー部材を取り外した状態で示す背面図、図１４は大入賞役物の枠体上部を背面側から見た状態で示す背面図、図１５は図１４に示した大入賞役物の枠体上部をやや回転させた状態で示す斜視図である。また、図１６は第１振り分け装置の構成の一部を示す斜視図、図１７は第１振り分け装置の構成の一部を示す斜視図、図１８は図１７に示した第１振り分け装置の全体を時計方向にやや回転させた状態で示す斜視図、図１９は図１８に示した第１振り分け装置の全体を見下ろす角度をやや変えた状態で示す斜視図、図２０は第１振り分け装置の構成の一部を示す図であり、同図(ａ)は正面図、同図(ｂ)は全体をやや回転させた状態で示す正面図、同図(ｃ)は全体を更に回転させた状態で示す正面図である。更に、図２１は第３振り分け部における円筒状振り分け部材を単体で示す図であり、同図(ａ)は斜視図、同図(ｂ)は正面図、同図(ｃ)は背面図、図２２は図２１（ｂ）に示した円筒状振り分け部材を示す図であり、同図(ａ)は平面図、同図(ｂ)は側面図である。また、図２３は本実施形態におけるパチンコ機の制御系を示すブロック図、及び図２４は本パチンコ機による作用を説明するためのフローチャートである。
【００１７】
なお、本実施形態における「入賞」は賞球を伴った入球を意味する概念であり、また「入球」は、入賞口や入球口に少なくとも遊技球が入ることを意味し、「賞球を伴わない入球」とともに「賞球を伴う入球」をも含む概念である。
【００１８】
パチンコ機１は、発射ハンドル９の操作による発射装置（図示せず）の作動で遊技球（所謂パチンコ玉）を遊技盤７の遊技領域７ａに向かって打ち出しつつ遊技を行うもので、所謂確率変動等の大当たりが発生した状態で、大入賞口としてのアタッカー１７（図１参照）に入球した遊技球に対応する数の遊技球を払い出すように構成されている。上記確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００１９】
図１に示すように、本実施形態におけるパチンコ機１は、開口を有する枠体状の筐体２と、この筐体２に開閉可能に装着された前扉３とを有しており、前扉３の前面には、透明ガラス（図示せず）を有するガラス枠５が開閉可能に取り付けられている。透明ガラスの奥側には、遊技盤７が配置されている。前扉３における遊技盤７の左右上方には演出用照明装置２３が配置されており、前扉３における遊技盤７の下方左部にはスピーカ（図示せず）を有する放音装置８が配置されている。また、ガラス枠５における右側部には、前扉３を筐体２側に施錠又は解放するための施錠装置４が配置されている。なお、筐体２及び前扉３等から遊技機本体が構成されている。
【００２０】
前扉３における遊技盤７の下方には上皿１３が設けられており、上皿１３における左上部には、賞球及び貸球を含む遊技球が供給される球供給口１８が設けられ、上皿１３における右上部壁面には、球貸ボタン１４ａ及びプリペイドカード返却ボタン１４ｂが設けられている。
【００２１】
また、前扉３における上皿１３の下方には下皿１５が配置されており、該下皿１５の右部には、不図示の球発射装置を操作して遊技球を遊技領域７ａに向けて打ち出すための発射ハンドル９が設けられている。更に、下皿１５の球収容部１５ａには、上皿１３からオーバーフローした遊技球が放出される球放出口１９が形成されており、下皿１５の左部には灰皿２４が配置されている。なお、図１中の符号１０は、発射ハンドル９の操作で発射された遊技球を遊技盤７の遊技領域７ａに導くガイドレールを示し、符号２２はアウト口を示している。また、本パチンコ機１には、遊技中に遊技領域７ａにて入賞することなく落下してアウト口２２に入り込んだ遊技球をパチンコ機背面側に導くアウト球通路（図示せず）が設けられている。
【００２２】
遊技領域７ａには、アタッカー１７と同等の賞球機能を有し且つ大当たり確定後の大当たり種別の抽選を機械的に行う大入賞役物１２が中央部分に配設されている。大入賞役物１２の下部左右には、大当たり抽選に寄与しない一般の入賞が行われる入賞口２９，３０が配設されており、大入賞役物１２の下方には、大当たり抽選の契機となる入賞が行われる始動チャッカー１６と、大当たり確定に伴う賞球を得るための入賞が行われる大入賞口としてのアタッカー１７とが順次配設されている。上記始動チャッカー１６は、開放位置と閉止位置とに開閉動作するように、始動チャッカー開閉ソレノイド１０３（図２３参照）によって作動させられる。なお、始動チャッカー１６の直上方には、所謂命釘としての一対の障害釘２５が打ち込まれている。
【００２３】
また、上記アタッカー１７は、大当たり発生時に開放され、遊技盤７の遊技領域７ａに打ち出されて転動落下する遊技球Ｂａを入賞させる。アタッカー１７は、大当たり発生中、１回の開放で１０個の入球を完了した時点で閉じ、当該開閉動作（ラウンド数）を、後述の電動開閉式チューリップ（電動開閉式入賞口）２７とで合計１５回となるように交互に繰り返すように構成される。但し、ここで言う「交互に繰り返す」とは、アタッカー１７と電動開閉式チューリップ２７とが１ラウンド毎に順次動作が切り替わることのみを意味するのではなく、一方が２ラウンド或いは３ラウンド消化してから他方に切り替わったりするように、切り替わるまでのラウンド数は任意であることを意味している。なお、上記入球数並びに開閉動作の回数は、１０個や１５回に限定されることはなく、必要に応じて適宜設定され得るものである。
【００２４】
大入賞役物１２の中央部分には開口３１（図２参照）が形成されており、遊技盤７には、この開口３１から露出するように画像表示装置６が設けられている。遊技領域７ａには、大入賞役物１２の左方に風車１１が配設されており、該風車１１のやや下方における左右にスルーゲート３４ａ，３４ｂが配設されている。これらスルーゲート３４ａ，３４ｂは、始動チャッカー１６を短時間だけ開閉させるための抽選の契機となる遊技球通過が行われる役物である。
【００２５】
そして、遊技領域７ａにおけるスルーゲート３４ａ，３４ｂ、入賞口２９，３０及び始動チャッカー１６等の周囲には、遊技領域７ａに発射され、大入賞役物１２に入賞せずに落下してくる遊技球を適宜散らし、或いは始動チャッカー１６やアタッカー１７に導くように配置された多数の障害釘が打ち込まれている。また、大入賞役物１２の周囲及びその上方側にも、遊技球を適宜散らし、或いは入球に導くようにするための多数の障害釘が打ち込まれている。なお、図１中の符号１３ａは皿ユニット１３の球収容部、符号２０は球放出レバー、符号２１は球排出口を夫々示している。
【００２６】
次に、大入賞役物１２について図２に沿って説明する。すなわち、図２に示すように、大入賞役物１２は、上記開口３１を中央部に有する略筒状の枠体１２ａを備えており、枠体１２ａの周囲には、その複数箇所から外方に張り出すように竹模様状にされたブラケット部４５が形成されている。各ブラケット部４５には、夫々枠体１２ａの後部側を遊技盤７に埋め込んだ形でネジ止めするために表裏貫通した孔４５ａが形成されている。
【００２７】
大入賞役物１２は、枠体１２ａの鉛直方向最上部の中央部に配置された、賞球機能を得るための電動開閉式チューリップ（電動開閉式入賞口）２７と、電動開閉式チューリップ２７から図の左右下方に向かって滑らかに湾曲する暖簾状の飾り部４７と、背面に位置する画像表示装置６を露出させる開口３１を有するステージ部４６と、該ステージ部４６の中央部の上下に夫々配置された第１振り分け部３３及び第２振り分け部３２と、ステージ部４６の下方に配置された第３振り分け部４３とを備えている。
【００２８】
電動開閉式チューリップ２７は、始動チャッカー開閉ソレノイド１０３（図２３参照）の作動によって左方向と右方向に夫々回動して開放し、また右方向と左方向に夫々回動して閉止する型式の可動片２７ａ，２７ｂを備えて構成される。枠体１２ａにおける電動開閉式チューリップ２７の更に上部には、湾曲状の上面を有する扇型の蓋部材１１１が配設されている。この蓋部材１１１は、閉止状態の電動開閉式チューリップ２７に遊技球が進入しないように覆っている。
【００２９】
そして、電動開閉式チューリップ２７とアタッカー１７とは、１回の大当たり確定に対応して予め設定されたラウンド数（例えば１５回）を合計で満たすように夫々開閉動作するように作動制御手段９９（図２３参照）によって制御される。ここで、電動開閉式チューリップ２７にあっては、アタッカー１７に関して上述したと同様、電動開閉式チューリップ２７及びアタッカー１７の一方が２ラウンド或いは３ラウンド消化してから他方に切り替わったりするように、切り替わるまでのラウンド数が任意とされる。
【００３０】
また大入賞役物１２は、枠体１２ａに、遊技球Ｂａの進入により確率変動当たりを確定させる確率変動当たり確定センサ（確率変動当たり確定部）４２と、第１振り分け部３３、第２振り分け部３２及び第３振り分け部４３とを備えている。
【００３１】
ここで、本発明に係る貯留装置としての貯留部６４を図２〜図９並びに図１４及び図１５に沿って詳細に説明する。
【００３２】
すなわち、振り分け装置としての第１振り分け部３３は、枠体１２ａの開口３１の前側に形成されたステージ部４６の上方にて上下方向（鉛直方向）に延在する形で電動開閉式チューリップ２７に連通する落下案内通路７１と、該落下案内通路７１の途中部分から図１４の左方向に分岐するように延在する排出球案内通路８０と、球振り分け用ソレノイド８１の作動により落下案内通路７１と排出球案内通路８０との交差部に進退して電動開閉式チューリップ２７からの遊技球を、第１のルートとしての落下案内通路７１と第２のルートとしての排出球案内通路８０とに振り分ける振り分け部材８２と、落下案内通路７１側に導かれた遊技球を一旦貯留した後、或るタイミングで第２振り分け部３２に落下させる貯留部６４とを備えている。
【００３３】
つまり、第１振り分け部３３は、ステージ部４６の上部中央に位置して上下方向に延びるように配置されていて、電動開閉式チューリップ２７から入球した遊技球Ｂａ１を、落下孔３３ａから落下させる第１ルートとしての落下案内通路７１と、落下させない第２ルートとしての排出球案内通路８０とに振り分けるように機能する。言い換えると、第１振り分け部３３は、上記遊技球Ｂａ１を確率変動当たり確定検知センサ４２側と、該センサ４２以外の部位（遊技球入球検知センサ４１側）とに振り分けるように機能する。なお、図６における符号７８は、第３振り分け部駆動モータ６９の回転軸６９ａの駆動力を円筒状振り分け部材５９に伝える伝達部材を示している。
【００３４】
振り分け部材８２の前面には、左右方向に所定量オフセットさせた形で上下２段に配置された振り分け突起８２ａ，８２ｂが設けられている（図６及び図１６参照）。これら振り分け突起８２ａ，８２ｂは、球振り分け用ソレノイド８１がプランジャ８１ａを突出させない状態において図１４に示すように位置される。つまり、この状態で、振り分け突起８２ａは落下案内通路７１から退避した位置にあり、振り分け突起８２ｂは、振り分け突起８２ａの下方側にあって落下案内通路７１内の図１４左端側に位置している。ここで、振り分け突起８２ａ，８２ｂが夫々、上面中央が上方に高くなる山型状に形成されているので、図１４に示す状態にあって、電動開閉式チューリップ２７が開放してから最も早く入賞した先頭の遊技球Ｂａ１が振り分け突起８２ｂに保持され、且つ落下案内通路７１内の右端側に寄せられる。これにより、後続する遊技球Ｂａ２，Ｂａ３が夫々、先頭の遊技球Ｂａ１に偏心した状態（つまり、鉛直方向において遊技球Ｂａ１の中心に対し後続の遊技球Ｂａ２，Ｂａ３の中心が図１４左方にオフセットした状態）で当接する状況を実現でき、従って、後続の遊技球Ｂａ２，Ｂａ３が先頭の遊技球Ｂａ１に噛み込むような不都合を確実に防止することができる。
【００３５】
また、第１振り分け部３３は、遊技球Ｂａ１を確率変動当たり確定検知センサ４２に導く連通部７２の案内路７２ａと円筒部材７５とを有する貯留部６４を備えている。
【００３６】
上記貯留部６４は、図６及び図７に示すように、上記落下案内通路７１の背面側（後側）に配置された貯留部駆動モータ６６と、該貯留部駆動モータ６６の回転軸６６ａに連結部材７４を介して連結された所謂回転ドア状の円筒部材７５と、これら回転軸６６ａ、連結部材７４及び円筒部材７５を収容する収容空間６４ａを有する無底の円筒部材６４ｂとを備えている。この円筒部材６４ｂの下部に、落下孔３３ａが形成されている。上記貯留部駆動モータ６６は、実際には、モータ本体の中央に備えた不図示の回転軸に対しギヤユニット（減速機構）６６ｂを連結した状態で回転軸６６ａから駆動力を出力している（図２０参照）。
【００３７】
図２０（ａ）ないし（ｃ）に示すように、上記円筒部材７５は、貯留部駆動モータ６６の回転軸６６ａに連結部材７４を介して連結され、上下方向（鉛直方向）に長い円筒状部材の側面を所定幅に切り欠いて形成された球通過開口７５ａを備えた形で、上下方向に延在する回転軸６６ａを中心として一定速度で一方向に低速回転する所謂回転ドア状に形成されている。以上のように、貯留部駆動モータ６６及び円筒部材７５は、その軸方向を鉛直方向Ｐ（図６及び図２０(a)参照）に沿わせた形で配置されている。
【００３８】
上記貯留部６４は、図６、図７、及び図１６〜図１９に示すように、枠体１２ａ側に固定される支持部材８４を有しており、該支持部材８４から上方に突出するように貯留部駆動モータ６６が支持されている。更に、支持部材８４の下方には、下方に突出するように円筒部材６４ｂが固定されており、該円筒部材６４ｂの下部に上記落下孔３３ａが形成されている。円筒部材６４ｂは、枠体１２ａへの固定支持状態において落下案内通路７１側に連通する案内路７２ａを有する連通部７２を備えている。
【００３９】
貯留部６４は、案内路７２ａの放出開口部７２ｂに対向した形で一方向に連続回転し且つ放出開口部７２ｂに対面したとき該放出開口部７２ｂからの遊技球Ｂａ１を受け入れて確率変動当たり確定検知センサ４２側に落下させる、上述した球通過開口部７５ａを有している。そして、貯留部６４は、案内路７２ａの幅方向における円筒部材７５の回転方向（図８(a)の矢印Ｃ方向）の後流側（即ち、放出開口部７２ｂにおける一側部７２ｃ側）に、案内路７２ａ側から円筒部材７５側に向かって突出するように固定した板ばね１１６を備えている。
【００４０】
弾性部材としての上記板ばね１１６は、案内路７２ａの放出開口部７２ｂから円筒部材７５側への遊技球Ｂａ１の送出に際して、球通過開口部７５ａと放出開口部７２ｂとの間にあって当該遊技球Ｂａ１を、案内路７２ａの一側部７２ｃから円筒部材７５外周の円筒部材６４ｂ内方に突出する自由端１１６ａで弾力的に担持しつつ、円筒部材７５の一方向回転に伴い球通過開口部７５ａの内方に押し込むように機能する。
【００４１】
続いて、第２振り分け部３２について説明する。第２振り分け部３２は、図２ないし図１３に示すように、第１ルートとしての落下案内通路７１から落下した遊技球Ｂａを、確率変動当たり確定検知センサ４２に導く第３ルートとしての中央凹部５４と、確率変動当たり確定検知センサ４２に導かない第４ルートとしての傾斜面５３ａ，５３ｂとに振り分けるように機能する。
【００４２】
第２振り分け部３２は、ステージ部４６の最も奥の部分（つまり画像表示装置６の直前部分）に、頭部に入球孔３５を有し、且つ鉛直方向の軸Ａ１を中心とした左方（一方向）と右方（他方向）に交互に回動するキャラクタ像２８を備えている。このキャラクタ像２８は、一体にされた頭部３８ａ及び胴体部３８ｂを有する所謂まねき猫状に形成されており、胴体部３８ｂの上部左右に右手３６ａ及び左手３６ｂを有し、かつ胴体部３８ｂの下部左右に右足３７ａ及び左足３７ｂを有している。このようなキャラクタ像２８は、頭部入球口３５から受け入れた遊技球Ｂａを中央凹部５４（第３ルート）に送る送出位置と送らない非送出位置とに絶えず切り替わるように、軸Ａ１を中心として一定速度で左右方向に交互に低速回転するように作動制御手段９９（図２３参照）によって制御される。
【００４３】
ステージ部４６におけるキャラクタ像２８の直後方には、当該キャラクタ像２８が軸Ａ１を中心として左右に回転する際に、何らかの原因で回転検出センサ（図示せず）が故障した際に回転し過ぎて手３６ａ，３６ｂや足３７ａ，３７ｂが直後方の画像表示装置６に当接しないようにするための一対のストッパ６３が突出形成されている。これら一対のストッパ６３は、斜め前方に向く部分に傾斜面６３ａ（図４及び図５参照）が形成されており、この傾斜面６３ａにより、キャラクタ像２８とストッパ６３との間での噛み込み現象が確実に防止される。
【００４４】
キャラクタ像２８は、頭部に、貯留部６４の落下孔３３ａから所定間隔をあけて位置すべき頭部入球口３５を有しており、この頭部入球口３５を落下孔３３ａに対向させた状態でステージ部４６の最奥部に配置されている。ステージ部４６におけるキャラクタ像２８の下方には、図６及び図１１に示すように、回転軸６７ａを上下方向（鉛直方向）に向けた形のキャラクタ像駆動モータ６７が配設されている。ステージ部４６には、キャラクタ像２８の下部に対応して貫通孔７７が形成されており、この貫通孔７７には連結部材７６が挿通されている。この連結部材７６は、上部がキャラクタ像２８の胴体部３８ｂの底部に固定され、且つ下部が回転軸６７ａに連動連結されている。
【００４５】
キャラクタ像２８の頭部３８ａ内には、頭部入球口３５に連通する球案内通路７０が形成されており、胴体部３８ｂの前方下部には、球案内通路７０に連通する球放出口３９が形成されている。キャラクタ像２８は、キャラクタ像駆動モータ６７による左右回転時、頭部入球口３５から受け入れた遊技球Ｂａを、正面が向く方向に応じて球放出口３９から中央凹部５４、傾斜面５３ａ，５３ｂの何れかに放出する。また、球放出口３９の下部には、頭部入球口３５から落下した遊技球Ｂａを緩やかに放出するための傾斜面３９ａが形成されている。
【００４６】
また、キャラクタ像２８の左手３６ｂは、所謂まねき猫の招く側の手であり、胴体部３８ｂの左右方向に延びる軸６５によって揺動自在に支持された形で、一部が球案内通路７０に連通する内方空間に突出している。これにより、当該左手３６ｂは、頭部入球口３５から落下した遊技球Ｂａが上記突出部分に当接した際の衝撃で複数回揺動されて、あたかも手招きするように動作することとなる。
【００４７】
そして、図４〜図６、図１０及び図１１に示すように、ステージ部４６におけるキャラクタ像２８の正面側には、第１振り分け部３３の落下孔３３ａから頭部入球口３５に落下し、キャラクタ像２８がほぼ正面を向いた際に放出されて中央凹部５４に導入された際に遊技球Ｂａを受け入れる入球孔５６が形成されている。この入球孔５６は、中央凹部５４とともに、受け入れた遊技球Ｂａを案内通路１１４を介して確率変動当たり確定検知センサ４２に導く第３ルートとして構成される。
【００４８】
また、入球孔５６はゴト防止カバー５５によって覆われている。このゴト防止カバー５５は、円形の入球孔５６の上部を覆いつつステージ部４６の奥側のキャラクタ像２８に対して開口する開口部５５ａを有している。このような構造により、例えば、故意にガラス枠５を開放して入球孔５６に不正に入球するような所謂ゴト行為を、キャラクタ像２８側に向く開口部５５ａを備えたゴト防止カバー５５により行い難くし、可及的に防止することが可能になる。
【００４９】
ステージ部４６の前部中央には、上記入球孔５６に連通して垂下する垂下通路５７ａと、この垂下通路５７ａからステージ部４６の下部奥側に屈曲した形で延びる連通路５７ｂとが配設されている。この垂下通路５７ａは、図２及び図１０におけるステージ部４６の下部右方に配置された確率変動当たり確定検知センサ４２に遊技球Ｂａを導く案内通路１１４（図１０参照）に連通している。なお、図４における符号５８は、枠体１２ａの背面側を覆うカバー部材を示し、符号４８は、カバー部材５８と飾り部４７との間に位置してこれらの間の隙間部Ｓ（図５参照）を塞ぐカバー部材を示している。また、図５における符号４９は、球放出部８０ａ（図１４参照）に鉛直方向案内路８９（図１２参照）を連通させるための、カバー部材５８に形成された連通路である。
【００５０】
引き続き、第３振り分け部４３について説明する。すなわち、第３振り分け部４３は、図２〜図６、図１０及び図１１に示すように、第２ルートとしての排出球案内通路８０（図１３〜図１５参照）及び第４ルートとしての中央凹部５４左右の傾斜面５３ａ，５３ｂからの遊技球Ｂａを確率変動当たり確定検知センサ４２に導く第５ルートと、確率変動当たり確定検知センサ４２に導かない第６ルートとに振り分けるように機能する。
【００５１】
上記第５ルートは、クルーン５１のクルーン孔５１ａ、クルーン５２のクルーン孔５２ａ、湾曲面６０、入球凹部６１、及び円周側放出部５９ｃによって構成されており、上記第６ルートは、クルーン孔５１ａ、クルーン孔５２ａ、湾曲面６０、入球凹部６１、及び奥側放出部５９ｄ〜５９ｇによって構成されている。クルーン５１，５２は、ステージ部４６におけるキャラクタ像２８の左右に夫々形成されており、それらの最も低い部分にクルーン孔５１ａ，５２ａが形成されている。
【００５２】
なお、「クルーン」という語句は一般に、底面が曲面状に形成され、且つこの底面に表裏貫通孔を備え、底面上に転動されてきた遊技球を引き続き転動させつつ、貫通孔に落下させる役物を意味している。
【００５３】
第３振り分け部４３は、大入賞役物１２の前後方向に延びる軸Ａ２を中心として図の時計回り方向に低速回転する円筒状振り分け部材５９を有している。この円筒状振り分け部材５９は、図１０、図２１(ａ)，(ｂ)，(ｃ)、及び図２２(ａ)，(ｂ)に示すように、軸Ａ２に一致させられる回転軸５９ａを備えると共に、円周側放出部５９ｃと奥側放出部５９ｄ〜５９ｇとを備えている。円周側放出部５９ｃは、ステージ部４６におけるキャラクタ像２８の左右に形成されたクルーン孔５１ａ，５２ａから落下した遊技球Ｂａを受け入れた後、回転に伴い確率変動当たり確定検知センサ４２に向けて放出する。奥側放出部５９ｄ〜５９ｇは、クルーン孔５１ａ，５２ａから落下した遊技球Ｂａを受け入れた後、回転に伴い遊技球入球検知センサ４１に向けて放出する。奥側放出部５９ｄ〜５９ｇは夫々、奥方向に貫通する球通過穴ｈを有しており、この球通過穴ｈから放出された遊技球Ｂａは、不図示の案内路を経由して上記遊技球入球検知センサ４１に導かれる。
【００５４】
また大入賞役物１２は、図１２ないし図１５に示すように、上部に蓋部材１１１、電動開閉式チューリップ２７、及び大入賞電動チューリップ開閉ソレノイド８８を有している。電動開閉式チューリップ２７は、左右の可動片２７ａ，２７ｂが夫々、支軸１１２によって枠体１２ａ側に支持されていると共に、図１３の手前側に突出した軸部材２７ｃ，２７ｃが連結部材６８の横方向の長孔６８ｃに嵌挿されて連結されている。この連結部材６８は、横方向に長い底部６８ａと、底部６８ａの両端部から鉤状に突出するアーム６８ｂと、アーム６８ｂに形成された上記長孔６８ｃとを備えている。この連結部材６８の底部材６８ａに、大入賞電動チューリップ開閉ソレノイド８８のプランジャ８８ａの先端が連結されている。なお、図１２における符号９１は、暖簾状の飾り部４７の背面を覆うカバー部材である。
【００５５】
大入賞役物１２の上部の飾り部４７は、図１３の中央部から左方に延びる排出球案内通路８０と、この排出球案内通路８０内に配置された遊技球通過検知センサ７９と、この遊技球通過検知センサ７９で検知された遊技球Ｂａを枠体１２ａの後方（図１３の手前側）に放出する球放出部８０ａ（図１４及び図１５参照）とを備えている。この球放出部８０ａから放出される遊技球は、鉛直方向案内路８９及び案内路９０を介して遊技盤７背面側に排出される。
【００５６】
枠体１２ａにおけるキャラクタ像２８下方には、図１３及び図１４に示すように、第３振り分け部駆動モータ６９が配置されており、この第３振り分け部駆動モータ６９の左右には、確率変動当たり確定検知センサ４２及び遊技球入球検知センサ４１が配置されている。なお、図１３及び図１４中の符号８３は基板を示している。
【００５７】
また、図２に示すように、大入賞役物１２の下部前壁には、第３振り分け部４３の円筒状振り分け部材５９の前部に位置するように波形スリット４０が形成されている。この波形スリット４０は、本実施形態においては上下３段として形成されて、例えば、図３に示す入球凹部６１と円筒状振り分け部材５９との間に遊技球を噛み込んだ際等に、遊技場の係員が細い棒状部材を波形スリット４０から差し込んで遊技球を掻き出すことができるようにされている。なお、図３における符号６２は、枠体１２ａの下部前側を覆う前壁１１５の中央部に形成された開口であり、符号６２ａは、この開口６２から入球凹部６１側に向かって細くなる下部開口である。
【００５８】
次に、本実施形態におけるパチンコ機１の制御系を図２３に沿って説明する。すなわち、本制御系は、主基板９２と、この主基板９２に接続されたサブ基板１０５とを備えている。主基板９２は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。
【００５９】
主基板９２は、入賞判定手段９３、入賞信号出力手段９４、抽選手段９５、遊技制御手段９７、保留手段９８、作動制御手段９９、作動判定手段１００、作動決定手段１０１、及び確率変動当たり決定手段１０２を備えている。また主基板９２には、始動チャッカー開閉ソレノイド１０３、大入賞電動チューリップ開閉ソレノイド８８、球振り分け用ソレノイド８１、アタッカー開閉ソレノイド１０４、貯留部駆動モータ６６、キャラクタ像駆動モータ６７、第３振り分け部駆動モータ６９、始動チャッカー入賞検知センサ１０９、アタッカー入賞検知センサ１１３、確率変動当たり確定検知センサ４２、遊技球入球検知センサ４１、及び遊技球通過検知センサ７９が接続されている。
【００６０】
入賞判定手段９３は、発射ハンドル９の操作で作動する発射装置（図示せず）によって遊技領域７ａに打ち出された遊技球が始動チャッカー１６、電動開閉式チューリップ２７、アタッカー１７、及び入賞口２９，３０等の何れかに入賞したとき、当該入賞があった旨を判定する。つまり、入賞判定手段９３は、始動チャッカー１６に遊技球が入った場合、始動チャッカー入賞検知センサ１０９から受信した検知信号に従って入賞と判定する。また入賞判定手段９３は、電動開閉式チューリップ２７から遊技球が入った場合、遊技球通過検知センサ７９からの受信検知信号、或いは確率変動当たり確定検知センサ４２からの受信検知信号の夫々従って入賞と判定する。入賞判定手段９３は更に、アタッカー１７から遊技球が入った場合、アタッカー入賞検知センサ１１３からの受信検知信号に従って入賞と判定する。
【００６１】
入賞信号出力手段９４は、入賞判定手段９３によって入賞が判定されたとき、対応する始動チャッカー１６、電動開閉式チューリップ２７、アタッカー１７、及び入賞口２９，３０等に入賞した旨の入賞信号を出力する。
【００６２】
抽選手段９５は、入賞信号出力手段９４からの入賞信号の受信時、最大保留球数（例えば４個）未満での入賞を契機として大当たりに当選するように、不図示の抽選用メモリから当たり当選乱数値を取得して大当たり抽選を実行する。抽選手段９５は更に、大当たり抽選に当選した場合、不図示の演出用メモリに格納された演出乱数値に基づく抽選で、変動の結果、適宜の図柄が画像表示装置６の画面上で最終的に揃う旨の変動パターンを決定し、その旨の変動パターンコマンドを出力する。抽選手段９５はまた、大当たり抽選で外れた場合、演出乱数値に基づく抽選で、変動の結果、外れに対応する適宜の図柄が画像表示装置６の画面上で最終的に表示される旨の変動パターンを決定し、この変動パターンコマンドを出力する。
【００６３】
遊技制御手段９７は、予め設定された演出データ、抽選手段９５での抽選結果、或いは確率変動当たり決定手段１０２での決定結果に対応して、画像表示装置６に表示すべき演出内容に関する信号を、制御コマンドと共にサブ基板１０５の表示制御手段１０７に送信する。
【００６４】
保留手段９８は、抽選手段９５から出力された変動パターンコマンドを受信し、始動チャッカー１６への入賞の都度に行われた抽選の結果となる保留球として順次記憶する。当該記憶状況は、最大４個の保留球として、４個のＬＥＤ等の発光体（図示せず）を点灯又は消灯させることにより表示される。なお、保留球として点灯表示される保留球数は上記「最大４個」に限らず、例えば３個以下、又は５個以上として適宜設定することも可能である。
【００６５】
作動制御手段９９は、作動決定手段１０１の作動開始決定の旨の信号に基づき、始動チャッカー開閉ソレノイド１０３、大入賞電動チューリップ開閉ソレノイド８８、球振り分け用ソレノイド８１、アタッカー開閉ソレノイド１０４、貯留部駆動モータ６６、キャラクタ像駆動モータ６７、及び第３振り分け部駆動モータ６９に駆動信号を送り、夫々に作動させる。
【００６６】
作動判定手段１００は、始動チャッカー開閉ソレノイド１０３、大入賞電動チューリップ開閉ソレノイド８８、球振り分け用ソレノイド８１、アタッカー開閉ソレノイド１０４、貯留部駆動モータ６６、キャラクタ像駆動モータ６７、及び第３振り分け部駆動モータ６９を夫々に作動させるための条件を満たすか否かを判定する。例えば、始動チャッカー開閉ソレノイド１０３にあって、始動チャッカー１６の開閉の「条件を満たす」時とは、主基板９２において抽選手段９５の大当たり抽選とは別途行われる抽選で当選した場合である。また例えば、大入賞電動チューリップ開閉ソレノイド８８やアタッカー開閉ソレノイド１０４にあって、電動開閉式チューリップ２７やアタッカー１７の開放の「条件を満たす」時とは、大当たりが発生し且つ開閉作動の順番が到来したときであり、閉塞の「条件を満たす」時とは、大当たり発生時において割り振られた入賞回数（ラウンド数）を完了したときである。
【００６７】
作動決定手段１０１は、作動判定手段１００からの判定信号を受けて、始動チャッカー開閉ソレノイド１０３、大入賞電動チューリップ開閉ソレノイド８８、球振り分け用ソレノイド８１、アタッカー開閉ソレノイド１０４、貯留部駆動モータ６６、キャラクタ像駆動モータ６７、及び第３振り分け部駆動モータ６９の作動開始を夫々に決定する。
【００６８】
確率変動当たり決定手段１０２は、確率変動当たり確定検知センサ４２から受信した検知信号に従って、現在既に当選している大当たりの種別を、次なる大当たりを当選させるまで遊技者に有利な付加価値を付与し得る特殊状態となる確率変動当たりとして決定する。一方、確率変動当たり決定手段１０２は、電動開閉式チューリップ２７やアタッカー１７の１回分（１セット分）の全てのラウンド数を満たす開閉動作の終了時に確率変動当たり確定検知センサ４２から検知信号を受信しなかった場合は、上記特殊状態とならない通常当たりとして確定する。
【００６９】
始動チャッカー開閉ソレノイド１０３は、作動制御手段９９から送信された駆動信号に応答してプランジャ（図示せず）を進退動作させて始動チャッカー１６を開閉動作させる。
【００７０】
大入賞電動チューリップ開閉ソレノイド８８は、作動制御手段９９から送信された駆動信号に応答してプランジャ８８ａ（図６参照）を進退動作させて電動開閉式チューリップ２７を開閉動作させる。
【００７１】
球振り分け用ソレノイド８１は、作動制御手段９９から送信された駆動信号に応答してプランジャ８１ａ（図１４参照）を進退動作させて、振り分ける振り分け部材８２の振り分け突起８２ａ，８２ｂを図１４の左右方向に適時移動させ、電動開閉式チューリップ２７の開閉時に入賞した先頭の遊技球のみを落下案内通路７１側に案内し、かつこれ以降の後続遊技球を全て排出球案内通路８０側に誘導し、遊技球通過検知センサ７９を通過させた後、球放出部８０ａから鉛直方向案内路８９及び案内路９０を介して排出させる。
【００７２】
アタッカー開閉ソレノイド１０４は、作動制御手段９９から送信された駆動信号に応答してプランジャ（図示せず）を進退動作させて、アタッカー１７を開閉動作させる。
【００７３】
貯留部駆動モータ６６は、作動制御手段９９の制御に応答して回転駆動し、貯留部６４における回転ドア状の円筒部材７５を一方向に一定速度で低速回転させて、貯留していた遊技球を球通過開口７５ａの到達に伴って落下させる。
【００７４】
キャラクタ像駆動モータ６７は、作動制御手段９９の制御に応答して回転駆動し、キャラクタ像２８を軸Ａ１を中心として左右交互に一定速度で低速回転させる。
【００７５】
第３振り分け部駆動モータ６９は、作動制御手段９９の制御に応答して回転駆動し、円筒状振り分け部材５９を軸Ａ２を中心として一方向（図１０の時計回り方向）に一定速度で低速回転させる。
【００７６】
始動チャッカー入賞検知センサ１０９は、始動チャッカー１６に進入した遊技球の通過を検知し、その検知信号を主基板９２に送信する。
【００７７】
アタッカー入賞検知センサ１１３は、アタッカー１７に進入した遊技球の通過を検知し、その検知信号を主基板９２に送信する。
【００７８】
確率変動当たり確定検知センサ４２は、進入した遊技球の通過を検知し、その検知信号を主基板９２の確率変動当たり決定手段１０２に送信する。
【００７９】
遊技球入球検知センサ４１は、進入した遊技球の通過を検知し、その検知信号を、確率変動当たり確定検知センサ４２に導入されることなく確率変動当たりを確定し得なかった遊技球をチェックさせるべく、主基板９２に送信する。
【００８０】
遊技球通過検知センサ７９は、電動開閉式チューリップ２７から入賞して排出球案内通路８０から遊技盤７外方に排出されるべき遊技球の通過を検知し、その検知信号を主基板９２の入賞判定手段９３に送信する。
【００８１】
一方、サブ基板１０５は、演出制御手段１０６、及び表示制御手段１０７を有しており、サブ基板１０５には、放音装置８、演出用照明装置２３、及び画像表示装置６が接続されている。
【００８２】
演出制御手段１０６は、主基板９２中の上記マイクロプロセッサから供給される信号に従って、放音装置８、演出用照明装置２３を適時駆動して、遊技者の視覚及び聴覚に訴える演出表示を行う。
【００８３】
表示制御手段１０７は、遊技制御手段９７から送信された演出内容に関する信号に従って画像表示装置６を適時駆動し、大当たり抽選結果を中心とした内容の演出を、遊技者の視覚に訴えるように演出表示する。
【００８４】
放音装置８、演出用照明装置２３及び画像表示装置６は、上述したように各制御に応答して音、光等の発生により、通常時の演出や大当たり時における特別な演出等を行う。
【００８５】
次に、本パチンコ機１による作用について、図２３のフローチャートを併せて参照しつつ説明する。
【００８６】
すなわち、本パチンコ機１に対面して着座した遊技者が発射ハンドル９を握り、適宜の角度に回動操作すると、発射装置（図示せず）の作動によって遊技球が所定の時間間隔で遊技領域７ａに向けて連続的に発射される（ステップＳ１）。すると、遊技盤７の遊技領域７ａに打ち出されて転動落下する多数の遊技球は、始動チャッカー１６や入賞口２９，３０に適時入賞し、或いは、これらに寄与せずに転動落下して、遊技領域７ａ最下部のアウト口２２から遊技盤７背面側に排出される。
【００８７】
ところで、上述のように始動チャッカー１６や入賞口２９，３０の何れかに遊技球Ｂａが入賞した場合、入賞判定手段９３が当該入賞を判定し、且つ入賞信号出力手段９４が入賞信号を出力する（ステップＳ２）。この際、抽選手段９５が、入賞信号出力手段９４から受信した入賞信号に従って、大当たり抽選を実行する。そして抽選手段９５は、大当たり抽選に当選した場合、変動の結果、適宜の図柄が画像表示装置６の画面上で最終的に揃う旨の変動パターンを決定し、その旨の変動パターンコマンドを出力する。すると、保留手段９８が、抽選手段９５からの変動パターンコマンドを受信し、始動チャッカー１６への入賞の都度に行われた抽選の結果となる保留球として順次記憶する。そして、大当たり抽選で当選した場合（ステップＳ３）、抽選手段９５が当たりフラグをオンする。
【００８８】
これにより、ステップＳ４において、画像表示装置６に表示されるべき当たり図柄がセットされ、抽選手段９５は、その旨の変動パターンコマンドを出力する。一方、大当たり抽選で外れた際には、演出用メモリに格納された演出乱数値に基づく抽選で、変動の結果、外れに対応する図柄が最終的に揃う旨の変動パターンが決定される。
【００８９】
そして、遊技制御手段９７が、画像表示装置６に表示すべき演出内容に関する信号を制御コマンドと共にサブ基板１０５の表示制御手段１０７に送信することに基づき、表示制御手段１０７が、画像表示装置６を適時駆動し、大当たり抽選結果に関する内容等を、遊技者の視覚に訴えるように演出表示する（ステップＳ５）。
【００９０】
抽選手段９５での当選結果が画像表示装置６の画面上に表れた場合、作動制御手段９９は、作動決定手段１０１の作動開始決定の旨の信号に基づき、所定のタイミングでアタッカー開閉ソレノイド１０４に駆動信号を送り、当該ソレノイド４１を作動させてアタッカー１７を開放し、所定数入賞が終了する毎に閉止する動作を、その際に与えられているラウンド数だけ繰り返させる。同様に、作動制御手段９９は、作動決定手段１０１の作動開始決定の旨の信号に基づき、所定のタイミングで大入賞電動チューリップ開閉ソレノイド８８に駆動信号を送り、当該ソレノイド８８を作動させて電動開閉式チューリップ２７を開閉させ、所定数入賞が終了する毎に閉止する動作を、その際に与えられているラウンド数だけ繰り返させる。これにより、電動開閉式チューリップ２７及びアタッカー１７に入賞した遊技球合計に応じた多量の遊技球が球供給口１８から上皿１３に払い出されることとなる（ステップＳ６）。これらの際、電動開閉式チューリップ２７及びアタッカー１７が、１回の大当たり確定に対応して予め設定されたラウンド数（例えば１５回）を合計で満たすように夫々に開閉動作される。
【００９１】
上述したラウンド処理中において、大当たり種別を決定する大当たり種別抽選処理が行われる（ステップＳ７）。すなわち、大当たり決定に基づくラウンド処理が開始されると、作動制御手段９９が、大入賞電動チューリップ開閉ソレノイド８８又はアタッカー開閉ソレノイド１０４に適時駆動信号を出力する。これにより、例えば、大入賞電動チューリップ開閉ソレノイド８８が駆動すると、プランジャ８８ａで底部６８ａが押下されるので、左右のアーム６８ｂを介して可動片２７ａ，２７ｂが互いに離反する方向に回動することで、電動開閉式チューリップ２７が開放する。この時点で遊技者の発射ハンドル９操作に基づいて遊技領域７ａに発射された後、障害釘を通過した遊技球は、開放した可動片２７ａ，２７ｂの間から大入賞役物１２内に進入する。
【００９２】
すると、球振り分け用ソレノイド８１がプランジャ８１ａを後退させていることで、図１４に示すように、振り分け部材８２の振り分け突起８２ａ，８２ｂが、落下案内通路７１において、先頭の遊技球Ｂａ１を１個のみ振り分け突起８２ｂ上に保持する。これにより、後続する他の遊技球Ｂａ２，Ｂａ３は、当該先頭の遊技球Ｂａ１に対して心ずれした形で当接するので、球噛みすることなく、円滑に排出球案内通路８０側に案内されて、遊技球通過検知センサ７９で検知された後に排出されることとなる。
【００９３】
この状態において、作動制御手段９９からの駆動信号に応答して球振り分け用ソレノイド８１がプランジャ８１ａを突出させるので、振り分け突起８２ａに保持されていた先頭の遊技球Ｂａ１が解放されて落下し、またこれによって開放された落下案内通路７１を振り分け突起８２ｂが閉止して、後続の遊技球Ｂａ２，Ｂａ３が落下案内通路７１側に落下することを確実に防止する。
【００９４】
そして、落下案内通路７１側に唯一落下した遊技球Ｂａ１は、図６に示すように、所謂回転ドア状の円筒部材７５の側壁に当接した形で待機することとなる。この際、作動制御手段９９からの駆動信号に応答した貯留部駆動モータ６６の回転により、円筒部材７５が鉛直方向の軸を中心として低速で一方向に回転し、これに伴って、円筒部材７５の側壁に当接していた遊技球Ｂａ１が開口部７５ａに進入し、そして落下孔３３ａから落下して、キャラクタ像２８の頭部入球口３５に進入する。このとき、キャラクタ像２８の左手３６ｂは、頭部入球口３５から落下した遊技球Ｂａ１が当該突出部分に当接する際の衝撃力で複数回揺動される。
【００９５】
上記遊技球Ｂａ１の開口部７５ａへの進入に際し、貯留部６４では、貯留部駆動モータ６６の作動で回転する円筒部材７５が、落下案内通路７１側からの遊技球Ｂａが案内路７２ａから受け入れられたとき、案内路７２ａ側に球通過開口７５ａを向けている際には該球通過開口７５ａを通じて落下孔３３ａ側に遊技球Ｂａ１を直ちに通過させる。
【００９６】
これに対し、案内路７２ａ側に球通過開口７５ａが向いていない際には、円筒部材７５の側壁で遊技球Ｂａ１を一旦受け止めて貯留した状態から更なる回転により開口７５ａを遊技球Ｂａに対向させた時点で落下孔３３ａ側に遊技球Ｂａを通過させ、遊技球Ｂａ１を一旦貯留した後に時間差をつけて落下させることになる。
【００９７】
ここで例えば、図８の時計回り方向（同図(ａ)の矢印Ｃ方向）に回転する円筒部材７５の球通過開口７５ａが案内路７２ａの放出開口部７２ｂに対して同図（ａ）に示す位置にあるとき、落下案内通路７１側から導かれた遊技球Ｂａ１が接近すると、この遊技球Ｂａ１は、同図（ｂ）に示すように、放出開口部７２ｂの一側部７２ｃと球通過開口７５ａの一側部７５ｂとの間に噛み込まれることになる。しかしこの際、板ばね１１６が、球通過開口部７５ａと放出開口部７２ｂとの間にあって遊技球Ｂａ１を弾力的に担持しながら、同図（ｃ）に示すように、円筒部材７５の回転に伴って球通過開口部７５ａの内方に押し込むように機能する。このため、当該遊技球Ｂａは、図９（ａ）に示すように、板ばね１１６の弾性復帰力で球通過開口部７５ａの内方に押し込まれて落下孔３３ａ（図７参照）から落下する（図９（ｂ）参照）。
【００９８】
この際、キャラクタ像２８は、図２に示す状態で鉛直方向の軸Ａ１を中心として左右に交互に低速回転しており、タイミング良く球放出口３９が入球孔５６（ゴト防止カバー５５）側を向く瞬間に遊技球Ｂａ１が頭部入球口３５から進入した場合、この遊技球Ｂａ１は、球放出口３９から放出され中央凹部５４に案内されて、ゴト防止カバー５５の開口部５５ａから入球孔５６に落下する。更に遊技球Ｂａ１は、垂下通路５７ａ、連通路５７ｂを経由して案内通路１１４から確率変動当たり確定検知センサ４２に導入されることとなる。そして、この確率変動当たり確定検知センサ４２にて遊技球Ｂａが検知されると、その検知信号が確率変動当たり決定手段１０２に送信され、これにより確率変動当たりが決定される。
【００９９】
一方、タイミング悪く球放出口３９が入球孔５６（ゴト防止カバー５５）側から外れようとする瞬間に遊技球Ｂａ１が頭部入球口３５に落下した場合、この遊技球Ｂａ１は、球放出口３９から放出されて傾斜面５３ａ，５３ｂの何れかに案内され、入球孔５６に入球できないこととなる。しかしこの際、遊技球Ｂａ１は、クルーン５１のクルーン孔５１ａかクルーン５２のクルーン孔５２ａの何れかに入球して落下することで、第３振り分け部４３を介して、確率変動当たり確定検知センサ４２への再度の入球チャンスが与えられる。
【０１００】
つまり、クルーン５１又は５２の球面状の窪みを転動してその中央部のクルーン孔５１ａ又は５２ａに遊技球Ｂａ１が落下すると、この遊技球Ｂａ１は、湾曲面６０を転動して入球凹部６１に到達する。そして、入球凹部６１に位置した状態で、開口６２の下部開口６２ａから覗く円筒状振り分け部材５９の円周側放出部５９ｃ及び奥側放出部５９ｄ〜５９ｇの何れかに進入することとなる。
【０１０１】
この際、下部開口６２ａに対向して奥側放出部５９ｄ〜５９ｇの何れかが位置した場合、入球凹部６１上の遊技球Ｂａ１は、入球凹部６１の奥側への傾斜に沿って奥側放出部５９ｄ〜５９ｇの何れかに進入する。そして進入した後、その奥側の球通過穴ｈから外方に排出されて、遊技球入球検知センサ４１によって入球を検知される。
【０１０２】
一方、下部開口６２ａに対応して円周側放出部５９ｃが位置した場合、入球凹部６１上の遊技球Ｂａ１は、入球凹部６１の奥側への傾斜に沿って円周側放出部５９ｃに進入する。そして、この円周側放出部５９ｃの内面に保持された形で、図１０時計回り方向の円筒状振り分け部材５９の回転に伴って移動し、図７において連通路５７ｂに対向する最上位置を案内通路１１４側に超えた時点で、円周側放出部５９ｃから案内通路１１４側に転動して移動し、案内通路１１４を介して確率変動当たり確定検知センサ４２に導入される。すると、これによる検知信号に応答して、確率変動当たり決定手段１０２が、大当たり種別を確率変動当たりに決定する。
【０１０３】
なお、本実施形態におけるパチンコ機１では、大入賞役物１２により機械的に行う大当たり種別の抽選にて、画像表示装置６の画面上で揃う図柄（寿司ネタのタコやエビ等）に応じて確変抽選チャンスの回数を異ならせる（例えば、寿司ネタのタコなら３回、エビなら２回）ように構成することができる。
【０１０４】
以上説明した本実施形態では、大入賞役物１２が、電動開閉式チューリップ２７と確率変動当たり確定検知センサ４２と第１振り分け部３３とを備え、第１振り分け部３３が、遊技球Ｂａ１を確率変動当たり確定検知センサ４２に導く案内路７２ａと球通過開口７５ａが設けられた円筒部材７５とを有する貯留部６４を備えるので、遊技者は、大当たり当選に伴い開放した電動開閉式チューリップ２７に向けて遊技球を打ち出して賞球を得ると共に、第１振り分け部３３で振り分けられる遊技球の行方に注目し、確率変動当たり確定検知センサ４２での確率変動当たり決定を期待しつつ遊技を進行させることができる。このように、大当たり当選後単にアタッカー１７に入賞させて多量の遊技球を得ることだけに終始する、遊技球払い出しの単なる消化作業をしていた従来型パチンコ機に比し、弾球遊技上の興趣を大幅に高めることができる。
【０１０５】
しかも、案内路７２ａの放出開口部７２ｂに対する円筒部材７５の回転位置に伴い球通過開口７５ａに遊技球Ｂａ１を受け入れて確率変動当たり確定検知センサ４２側に落下させる際のタイミング遅延にて、一旦貯留した遊技球Ｂａ１を時間差をもって落下させることができ、これにより、大当たり抽選の契機となる遊技球の進入を、大当たりし易いように狙い打ちするような遊技場側にとっての不都合を回避できる。
【０１０６】
そして、貯留部６４が、案内路７２ａの幅方向における円筒部材７５の回転方向（図８(a)の矢印Ｃ方向）の後流側（つまり、一側部７２ｃ側）に板ばね１１６を備え、この板ばね１１６が、案内路７２ａの放出開口部７２ｂから円筒部材７５側への遊技球Ｂａ１の送出に際して、球通過開口７５ａと放出開口部７２ｂとの間にあって当該遊技球Ｂａ１を弾力的に担持しつつ円筒部材７５の一方向回転に伴い球通過開口７５ａの内方に押し込むように機能する。このため、進入した遊技球Ｂａ１を一旦留めてタイミングをランダムにしつつ大当たり種別の決定箇所に向けて送出し得る構造を実現できると共に、途中経路にて球詰まりを生じるような不具合を可及的に回避することができる。また、弾性部材として、、案内路７２ａ側から円筒部材７５側に向かって突出する板ばね１１６を採用したことにより、極めて簡素でコンパクトな構造を備え、遊技球Ｂａ１を一旦留めてタイミングをずらしつつ、大当たり種別の決定箇所である確率変動当たり確定検知センサ４２側に向けて送出し得る貯留部６４を実現できる。
【０１０７】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【０１０８】
【図１】本発明に係る実施の形態におけるパチンコ機の外部構造を示す正面図である。
【図２】本実施形態のパチンコ機に搭載された大入賞役物を単体で示す正面図である。
【図３】図２に示した大入賞役物を下側の前面カバー及び上側の竹模様状カバーを取り外した状態で示す正面図である。
【図４】図２に示した大入賞役物を下側の前面カバーを取り外した状態で示す斜視図である。
【図５】図３に示した大入賞役物を斜め上方から見た状態で示す斜視図である。
【図６】図３中のVI-VI線に沿って断面した側面断面図である。
【図７】図７は第１振り分け部の貯留部及びその周辺を示す側面断面図である。
【図８】図７の貯留部を上方から見た状態を示し、同図（ａ）は球通過開口に遊技球が接近する状態を示す平面断面図、同図（ｂ）は球通過開口と連通部との間に遊技球が挟み込まれた状態を示す平面断面図、同図（ｃ）は同図（ｂ）の状態から円筒部材が更に回転した状態を示す平面断面図である。
【図９】図７の貯留部を上方から見た状態を示し、同図（ａ）は円筒部材の更なる回転で球通過開口に遊技球が押し込まれた状態を示す平面断面図、同図（ｂ）は球通過開口に押し込まれた遊技球が落下した後の状態を示す平面断面図である。
【図１０】ステージ部及びキャラクタ像に係る部分を抜粋して示す正面図である。
【図１１】図１０中のX-X線に沿って断面した側面断面図である。
【図１２】図３に示した大入賞役物を背面側から見た状態で示す背面図である。
【図１３】図１２に示した大入賞役物の背面上部のカバー部材を取り外した状態で示す背面図である。
【図１４】大入賞役物の枠体上部を背面側から見た状態で示す背面図である。
【図１５】図１４に示した大入賞役物の枠体上部をやや回転させた状態で示す斜視図である。
【図１６】第１振り分け装置の構成の一部を示す斜視図である。
【図１７】第１振り分け装置の構成の一部を示す斜視図である。
【図１８】図１７に示した第１振り分け装置の全体を時計方向にやや回転させた状態で示す斜視図である。
【図１９】図１８に示した第１振り分け装置の全体を見下ろす角度をやや変えた状態で示す斜視図である。
【図２０】第１振り分け装置の構成の一部を示す図であり、同図(ａ)は正面図、同図(ｂ)は全体をやや回転させた状態で示す正面図、同図(ｃ)は全体を更に回転させた状態で示す正面図である。
【図２１】第３振り分け部における円筒状振り分け部材を単体で示す図であり、同図(ａ)は斜視図、同図(ｂ)は正面図、同図(ｃ)は背面図である。
【図２２】図２１（ｂ）に示した円筒状振り分け部材を示す図であり、同図(ａ)は平面図、同図(ｂ)は側面図である。
【図２３】本実施形態におけるパチンコ機の制御系を示すブロック図である。
【図２４】本パチンコ機による作用を説明するためのフローチャートである。
【符号の説明】
【０１０９】
１：パチンコ機（遊技機）
１２：大入賞役物
１７：アタッカー（大入賞口）
２７：電動開閉式チューリップ（電動開閉式入賞口）
３３：第１振り分け部（振り分け装置）
４１：遊技球入球検知センサ（確定部以外の部位）
４２：確率変動当たり確定検知センサ（確率変動当たり確定部）
６４：貯留部
７２ａ：案内路
７２ｂ：放出開口部
７５：円筒部材
７５ａ：球通過開口
１１６：板ばね（弾性部材）
Ｂａ，Ｂａ１：遊技球
【図１】
2006174876.tif 000003
【図２】
2006174876.tif 000004
【図３】
2006174876.tif 000005
【図４】
2006174876.tif 000006
【図５】
2006174876.tif 000007
【図６】
2006174876.tif 000008
【図７】
2006174876.tif 000009
【図８】
2006174876.tif 000010
【図９】
2006174876.tif 000011
【図１０】
2006174876.tif 000012
【図１１】
2006174876.tif 000013
【図１２】
2006174876.tif 000014
【図１３】
2006174876.tif 000015
【図１４】
2006174876.tif 000016
【図１５】
2006174876.tif 000017
【図１６】
2006174876.tif 000018
【図１７】
2006174876.tif 000019
【図１８】
2006174876.tif 000020
【図１９】
2006174876.tif 000021
【図２０】
2006174876.tif 000022
【図２１】
2006174876.tif 000023
【図２２】
2006174876.tif 000024
【図２３】
2006174876.tif 000025
【図２４】
2006174876.tif 000026